(57)【特許請求の範囲】
【請求項１】
昇降路壁にかごレール及びカウンターレールがそれぞれレールブラケットにより固定され、前記かごレールの上部に巻上機を据付ける機械室レスエレベータにおいて、
前記レールブラケットのうち、前記昇降路上部に設置されているかごレールのレールブラケット及び前記昇降路上部に設置されているカウンターレールのレールブラケット間に、前記巻上機を前記かごレール上部に据付ける時に使用するプーリーを回転自在に組み込んだプーリー支持枠を配設したことを特徴とする機械室レスエレベータの巻上機据付装置。
【請求項２】
前記プーリーは、前記プーリー支持枠と前記かごレール及びカウンターレールの上端面が干渉しないように、前記レールブラケット上面と前記レール上端面の間に隙間を設けたことを特徴とする請求項１記載の機械室レスエレベータの巻上機据付装置。
【請求項３】
前記プーリー支持枠に、前記プーリーを取り付けるための穴を数箇所に形成したことを特徴とする請求項２記載の機械室レスエレベータの巻上機据付装置。
【発明の詳細な説明】
【０００１】
【発明の属する技術分野】
本発明は、機械室レスエレベータの巻上機据付装置に関する。
【０００２】
【従来の技術】
図１３は、昇降路直上に機械室を有する従来のロープ式エレベータの一例を示す概略縦断面図である。図のように機械室３２を有するロープ式エレベータの巻上機３１は、機械室３２の天井に設けられた天井フック３９の吊り元にチェーンブロック等の揚重手段（図示せず）を掛けて巻上機３１を揚重し、機械室３２の床に設置したマシンビーム３４の上にマシンベッド３３を介して載せて固定していた。
【０００３】
昇降路用品であるレール等は、そのマシンビーム等に玉掛けワイヤロープを掛けて昇降路用品の吊り元としチェーンブロック等の揚重手段を掛け揚重し取り付けていた。なお、図１３において、３５はメインシーブ、３６はソラセシーブ、３７はメインロープ、３８はかごである。
【０００４】
【発明が解決しようとする課題】
このように従来の機械室３２を有するロープ式エレベータの昇降路用品の揚重・取付けは機械室３２内の天井、フック３９等を吊り元にすることができたが、機械室を有しない機械室レスエレベータにおいては、昇降路内の一方のかごレール頂上部付近に巻上機をかごレールに取り付ける関係上、その揚重作業が必要であり、この場合、昇降路天井に吊り元を設けて揚重手段であるチェーンブロック等の機器を取り付けて揚重しようとしても、吊り上げ代がチェーンブロック等の揚重機器の下となり、薄型巻上機をかごレールに取り付けたものを所定の位置に吊り上げて取り付けることが非常に困難である。
【０００５】
そこで、本発明は、昇降路内の一方のかごレール最上部付近に巻上機を容易に所定の位置に吊り上げて取り付けることができる機械室レスエレベータの巻上機据付装置を提供することを目的とする。
【０００６】
【課題を解決するための手段】
前記目的を達成するため、請求項１に記載の発明は、昇降路壁にかごレール及びカウンターレールがそれぞれレールブラケットにより固定され、前記かごレールの上部に巻上機を据付ける機械室レスエレベータにおいて、前記レールブラケットのうち、前記昇降路上部に設置されているかごレールのレールブラケット及び前記昇降路上部に設置されているカウンターレールのレールブラケット間に、前記巻上機を前記かごレール上部に据付ける時に使用するプーリーを回転自在に組み込んだプーリー支持枠を配設したことを特徴とする機械室レスエレベータの巻上機据付装置である。
請求項１に係る発明によれば、プーリー支持枠に設けたプーリーに玉掛けワイヤロープをかけて揚重機器により巻上げ、所定の位置まで容易に揚重して据付けることができる。
【００１１】
前記目的を達成するため、請求項２に記載の発明は、請求項１記載の発明において、前記プーリー支持枠と前記かごレール及びカウンターレールの上端部が干渉しないように、前記レールブラケット上面と前記レール上端面の間に隙間を設けた機械室レスエレベータの巻上機据付装置である。
【００１２】
請求項２に係る発明によれば、請求項１の作用効果に加えて、該レールを、プーリー支持枠より低い位置にすることにより、プーリー支持枠との干渉をなくすことができる。
【００１３】
前記目的を達成するため、請求項３に記載の発明は、請求項２記載のプーリー支持枠に、前記プーリーを取り付けるための穴を数箇所に形成した機械室レスエレベータの巻上機据付装置である。
【００１４】
請求項３に係る発明によれば、請求項２の作用効果に加えて、機種毎に、かごレールとカウンターレールの間が異なっている場合であっても、プーリーの取付位置を変更することにより、巻上機を吊り上げた際に玉掛けロープが、他の付属品に当たらないようにすることができる。
【００１９】
【発明の実施の形態】
以下本発明の機械室レスエレベータの巻上機据付方法及びその装置の実施形態について説明する。
【００２０】
図１は機械室レスエレベータの巻上機据付方法の実施形態を示す概略図である。図１において、機械室レスエレベータは昇降路内上部に薄型巻上機（以下巻上機という）１を設置し、この巻上機１のシーブに巻き付けられたロープの一方にかご（図示せず）を吊り下げ、他方にカウンターウェイト（図示せず）を吊り下げて、ロープとシーブの摩擦力に利用してロープの釣り合い長さを変えることによりかごを昇降させるもので、その全体構成並びに薄型の巻上機１については特開平７−１４４８５７号公報に開示されている。昇降路壁には各２本のかごレール２及びカウンターレール５が上下方向に延びるように設けられており、各レール間に設けられたかごあるいはカウンターウェイトの昇降を案内する。かごレール２とカウンターレール５の頂部には複数個のプーリー１７が回転自在に組み込まれたプーリー支持枠１５が掛け渡されている。これらプーリー１７に玉掛けワイヤロープ１９を掛け、この玉掛けワイヤロープ１９を利用して巻上機１を揚重する。
【００２１】
巻上機１の揚重にあたっては、チェーンブロック２１を利用する。チェーンブロック２１は固定側のフック２１ａがカウンターレール５を昇降路壁に固定するレールブラケット８ｆに取付けられた固定ロープ２０のシャックル（吊り部）２０ａに引っ掛けられることにより固定側が支持され、可動側のフック２０ｂが玉掛けワイヤロープ１９のシャックル１９ａに引っ掛けられることにより可動側が玉掛けワイヤロープ１９に連結される。巻上機１は最上部のガイドレール２を取付けた状態で、玉掛けワイヤロープ２９により支持され、その玉掛けワイヤロープ２９のシャックル（吊り部）２９ａが玉掛けワイヤロープ１９の他方のシャックル１９ｂに引っ掛けられる。
【００２２】
従って、このような状態でチェーンブロック２１の操作チェーン２１ｅを駆動し、かごレール２とともに巻上機１を持ち上げて所定の位置まで揚重し、かごレール２を固定することにより巻上機１を据え付ける。
【００２３】
図２〜図５は本発明による機械室レスエレベータの巻上機据付方法を適用する据付装置の第１の実施形態を説明するための図で、図２は昇降路上部の正断面図であり、図３は図２の昇降路内の上面図であり、図４は図２のＡ−Ａ矢印方向に見た矢視図であり、図５（ａ）、（ｂ）はかごレール側のレールブラケット及びカウンターレール側のレールブラケットを説明するための分解斜視図である。
【００２４】
図２は巻上機１が昇降路壁１２の上部に固定されたかごレール２の上端部付近の背面側に、ボルト、ナット３１により固定された専用ブラケット３と、ボルト、ナット３２により固定された固定金具４により取り付けられた状態を示している。  昇降路壁１２に固定されたカウンターレール５の昇降路上端部には、ロープヒッチ部６が取り付けられている。
【００２５】
かごレール２の上端部は、かごレール側のレールブラケット７により、昇降路壁１２に支持固定され、またカウンターレール５の上端部は、カウンターレール側のレールブラケット８により、昇降路壁１２に支持固定されている。
【００２６】
かごレール側のレールブラケット７は、図４及び図５（ａ）に示すように、昇降路取付部材７ａと、レール取付部材７ｂ及び２個のプーリー取付部材７ｃからなり、これらは次のように構成されている。
【００２７】
昇降路取付部材７ａは、昇降路壁取付面部７ａ１と、これと直交するようにプーリー取付面部７ａ２が一体に形成され、昇降路壁取付面部７ａ１には昇降路に埋設固定された複数のアンカーボルト挿通穴７ａ３が形成され、またプーリー取付面部７ａ２には複数のボルト挿通穴７ａ４が形成されている。
【００２８】
レール取付部材７ｂは、Ｌ字形の部材に複数のボルト挿通穴７ｂ１が形成されたものであり、また２個のプーリー取付部材７ｃはそれぞれＬ字形の部材に複数のボルト挿通穴７ｃ１が形成されたものであり、レール取付部材７ｂの一方の面に対して各プーリー取付部材７ｃが溶接により固定されている。
【００２９】
カウンターレール側のレールブラケット８は、図３及び図５（ｂ）に示すように昇降路取付部材８ａとレール取付部材８ｂからなり、昇降路取付部材８ａは複数のボルト挿通穴８ａ３を有する昇降路壁取付面部８ａ１と、これと直交し複数のボルト挿通穴８ａ４を有するプーリー取付面部８ａ２が一体に形成されている。  レール取付部材８ｂは、複数のボルト挿通穴８ｂ３を有するレール取付面部８ｂ１と、これと直交し複数のボルト挿通穴８ｂ４を有する昇降路取付部材取付面部８ｂ２が一体に形成されている。
【００３０】
そして、かごレール側レールブラケット７は昇降路取付部材７ａのボルト挿通穴７ａ３に、昇降路壁に埋設固定されているアンカーボルト９が挿通され、各アンカーボルト９にはそれぞれ平座、バネ座を介してナット１０がそれぞれ締結され、これにより昇降路背面に昇降路取付部材７ａが固定されている。
【００３１】
更に、プーリー取付面部７ａ２には、レール取付部材７ｂと一体の２個のプーリー取付部材７ｃの端部が載置され、ボルト挿通穴７ａ４，７ｃ１にボルト１３がそれぞれ挿通され、各ボルト１３にそれぞれ平座、バネ座を介してナット１０が締結され、これにより昇降路取付部材７ａとプーリー取付部材７ｃが固定される。
【００３２】
また、レール取付部材７ｂには、かごレール２の背面が当設され、ボルト挿通穴７ｂ１にレールクリップ１４に有するボルトを締結することにより、かごレール２の上端部が固定される。
【００３３】
カウンターレール側レールブラケット８は、昇降路取付部材８ａが該昇降路取付面部８ａ１に有する各ボルト挿通穴８ａ３に、昇降路側壁に埋設固定されたアンカーボルト９をそれぞれ挿通させ、各アンカーボルト９に平座、バネ座を介してナット１０をそれぞれ締結することにより、昇降路壁１２に固定される。
【００３４】
昇降路取付部材８ａのプーリー取付面部８ａ２には、レール取付部材８ｂの昇降路取付部材取付面部８ｂ２が載置され、レールクリップ１４を該ボルト挿通穴８ｂ４と８ａ４に挿通し、該各レールクリップ１４に図示しない平座、バネ座を介してナット１０を締結することにより、レール取付部材８ｂが、昇降路取付部材８ａに固定される。
【００３５】
そして、レール取付部材８ｂのレール取付面部８ｂ１には、カウンターレール５の背面側を当設させた状態で、各ボルト挿通穴８ｂ３にそれぞれレールクリップ１４に有するボルトを挿通させ、該各ボルトに図示しないナットをそれぞれ締結することにより、カウンターレール５の最上部がレール取付部材８ｂに固定される。
【００３６】
以上述べた昇降路取付部材８ａのプーリー取付面部８ａ２と、プーリー取付部材７ｃには、次に述べるローラ支持部材１６と、ピンボルト１８によって支持された溝付ローラからなるプーリー１７が、２個互いに間隔を存して配置され、各ローラ支持部材１６はボルト、ナットによりプーリー支持枠１５により固定されている。
【００３７】
プーリー支持枠１５は、第１枠１５Ａと第２枠１５Ｂを組合せたものからなり、第１枠１５Ａは断面Ｌ形の長尺な形鋼からなる部材１５ａ，１５ｂを平行に配置した状態で、断面Ｌ形の短尺な形鋼からなる部材１５ｃ，１５ｄを平行で、かつ部材１５ａ，１５ｂの中心線に対して直交するように配置して例えば溶接により一体構造としたものである。
【００３８】
プーリー支持枠１５の第２枠１５Ｂは、断面Ｌ形の長尺な形鋼からなる部材１５ｅ，１５ｆを平行に配置した状態で、断面Ｌ形の短尺な形鋼からなる部材１５ｇ，１５ｈを平行で、かつ、部材１５ｅ，１５ｆに対して直交するように配置して例えば溶接により一体構造としたものである。
【００３９】
前述のプーリー１７は、互いに間隔を存して配置された２つのローラ支持部材１６により支持されたピンボルト１８に回転自在に支持された溝付ローラからなる。このプーリー１７は２個あって、ローラ支持部材１６がプーリー支持枠１５の部材１５ｅ，１５ｆの中心線に対して直交するように掛け渡され、ボルト、ナットによりプーリー支持枠１５に固定されている。
【００４０】
この場合、２個のプーリー１７は、荷を吊り揚げた際に吊り上げロープが他の機器に当たらないような位置に取り付けられている。
【００４１】
以上述べた第１の実施形態の巻上機据付装置を用いて図１の場合と同様な据付方法により、昇降路の最上部に、かごレール２と巻上機１を一体にした巻上機を据付けることができる。
【００４２】
すなわち、まず、昇降路壁１２に２本のカウンターレール５を昇降路下部から上部に向けて順次芯出しを行いながら、該各カウンターレール５をそれぞれレールブラケット８により順次固定し、かつ該各カウンターレール５相互間をそれぞれ連結する。
【００４３】
また、昇降路壁１２に２本のかごレール２を昇降路下部から上部に向けて順次芯出しを行い、昇降路の最上部に配設するかごレール２を除いて該各かごレール２をそれぞれ図示しないレールブラケットにより順次固定し、かつ該各かごレール相互間をそれぞれ連結する。
【００４４】
かごレール２のうちの昇降路壁１２の最上部に配設すべきかごレール２は芯出しを行って昇降路の最上部のかごレールを支持する前述のレールブラケット７を昇降路壁１２に固定した後取外す。
【００４５】
昇降路最上部のかごレール側のレールブラケット７とカウンターレール５側の昇降路最上部のレールブラケット８の間に、前述のように構成したプーリー支持枠１５を配設する。該プーリー支持枠１５にはプーリー１７，１７を回転自在に支持されている。
【００４６】
次に、２個のプーリー１７に玉掛けワイヤロープ１９を掛け渡す。玉掛けワイヤロープ１９の両端部にはそれぞれシャックル１９ａ，１９ｂが設けてある。
【００４７】
次にチェーンブロック２１を取付ける。チェーンブロック２１の取付けは、まずカウンターレール５を昇降路壁１２に固定するレールブラケット８のうち該昇降路最上部を除くレールブラケット８ｆに、一端側にシャックル２０ａを有する固定ロープ２０をリング状にして連結し、シャックル２０ａに、チェーンブロック２１に有するフック２１ａを係合支持させる。
【００４８】
次いで、一部にロープ支持部（巻上機の一部に形成されたブレーキ装置が収納された部分）１ａ，１ａを有する巻上機１とかごレール２とを、前述したように専用ブラケット３及び固定金具４により一体に固定した状態で、該巻上機１のロープ支持部１ａ，１ａに玉掛けワイヤロープ２９を掛けると共に、該玉掛けワイヤロープ２９に有する吊り部２９ａを、玉掛けワイヤロープ１９の一端部のシャックル１９ｂに連結し、玉掛けワイヤロープ１９の他端部のシャックル１９ｂとチェーンブロック２１の荷吊側のチェーン２１ｂの端部に有するフック２１ｃを連結する。そして操作チェーン２１ｅを回転させることにより、チェーンブロック２１の荷吊側のチェーン２１ｂの突出長さを短くしていくことで、巻上機１を該昇降路上部に吊り上げる。
【００４９】
このようにして昇降路最上部に、かごレール２とともに巻上機１を吊り上げることができ、最後に図２〜４に示すようにレール取付部材７ｂにかごレール２をレールクリップ１４とボルト１３により固定することで、巻上機１を昇降路最上部に据付けることができる。
【００５０】
以上述べた第１の実施形態によれば、次のような作用効果が得られる。
【００５１】
（１）かごレール２とともに巻上機１を所定の位置まで揚重して据付けることができる。
【００５２】
（２）プーリー１７は極力小さいものとし、昇降路天井に極めて近い位置に配置し、また巻上機１を据え付ける位置における巻上機中心の鉛直線上方に配置することにより、巻上機１を昇降路天井に近い所定の位置で容易に据付できる。
【００５３】
図６〜図８は本発明の第２の実施の形態の機械室レスエレベータの巻上機据付装置構成図である。図６は図２に相当する図であり、図７は図６の平面図であり、図８は図６のＢ−Ｂ矢視断面図である。
【００５４】
本実施形態においては、第１の実施形態と異なる点は、かごレール２およびカウンターレール５の上端を、それぞれレール取付部材７ｂ，８ｂの上面より幾分低い位置に配置したところである。即ち、プーリー１７を組み込んだプーリー支持枠２２の下面とレール上端面とが干渉しないように、レール取付部材７ｂ，８ｂの上面がレール上端面より上にある位置に配置したものである。
【００５５】
具体的には、カウンターレール側レールブラケット８のレール取付部材８ｂは、昇降路取付部材８ａのプーリー取付面部に対してレール取付面部が下側に向くように、ボルト、ナットにより取付けられ、レール取付面部が、カウンターレール５の最上端にボルト、ナットにより取付けられている。
【００５６】
かごレール側ブラケット７の昇降路取付部材７ａとレール取付部材７ｂとプーリー取付部材７ｃは、図５と同一であり、レール取付部材７ｂには、かごレール２の上端がボルト１２により固定されている。レール取付部材８ｂとプーリー取付部材７ｃの間には、プーリー支持枠２２を構成する断面Ｌ字形の２個のプーリー支持ビーム２２Ａ，２２Ｂが互いに間隔を存して配置され、プーリー支持ビーム２２Ａ，２２Ｂは図示しないボルト、ナットにより固定されている。プーリー支持ビーム２２Ａ，２２Ｂの垂直面部間には、この支持ビーム２２Ａ，２２Ｂ、ピンボルト１８により回転自在に支持された溝付ローラからなるプーリー１７が支持されている。
【００５７】
支持ビーム２２Ａ，２２Ｂにはプーリーのピンボルト１８を挿通固定するピンボルト挿通穴２２ａが、互いに間隔を存して数箇所に渡って形成されている。
【００５８】
この場合の巻上機１の据付方法は、第１の実施形態と同様に行う。
【００５９】
以上述べた第２の実施形態によれば、第１の実施形態の作用効果に加えて、プーリー取付部材７ｃ及びレール取付部材８ｂ上に渡した支持ビーム２２Ａ，２２Ｂにはプーリー１７を取り付ける穴２２ａが複数個形成されているので、プーリー１７の取り付け時の位置調整が容易にできる。
【００６０】
図９及び図１０は、第３の実施形態を示す平面図及び正面図である。本実施形態は、昇降路内のかごレール２の最上部に設けられるレールブラケット２７のレール取付部材２７ｂに、プーリー１７を取り付けたものである。
【００６１】
以下、これについて具体的に説明する。レールブラケット２７は昇降路取付部材２７ａとレール取付部材２７ｂとからなる。昇降路取付部材２７ａは昇降路壁１２に埋設固定されているアンカーボルト９に、バネ座を介してナット１０により固定され、昇降路取付部材２７ａのプーリー取付面部に、Ｌ字形のレール取付部材２７ｂがボルト、ナットにより固定されている。
【００６２】
レール取付部材２７ｂの水平面部には、プーリー支持枠を構成するＬ字形のプーリーブラケット２３が、ボルト、ナットにより固定され、プーリーブラケット２３の垂直面部に、ローラ支持部材１６により軸支されたピンボルト１８により回転自在に支持された溝付ローラからなるプーリー１７が支持されている。この場合、プーリー１７は、レール取付部材２７ｂの幅ほうこうの端縁より幾分オーバーハングして取り付けられている。
【００６３】
この第３の実施形態の巻上機据付装置により、巻上機を据付けるには、前述した第１の実施形態の据付方法と同様に行えばよい。具体的には、昇降路最上部のかごレール２のレールブラケットのレール取付部材２７ｂに、プーリー１７を回転自在に支持して設けた状態で、このプーリー１７に玉掛けワイヤロープ１９を掛け渡す。ロープ支持部１ａ，１ａを有する巻上機１を、かごレール２に、前述したように専用ブラケット３及び固定金具４により一体に固定した状態で、巻上機１のロープ支持部１ａ，１ａに玉掛けワイヤロープ２９を支持すると共に、該固定ロープ２０に有するシャックル２０ａと、玉掛けワイヤロープ１９の一端部のシャックル１９ｂを連結し、玉掛けワイヤロープ１９の他端部のシャックル１９ａとチェーンブロック２１の荷吊側のチェーン２１ｂの端部に有するフック２１ｃを連結し、操作チェーン２１ｅを回転させることにより、チェーンブロック２１の荷吊側のチェーン２１ｂの突出長さを短くしていくことで、巻上機１を該昇降路上部に吊り上げる。
【００６４】
最後にかごレール２をレール取付部材２７ｂに、レールクリップ１４とボルトにより固定することで、巻上機１を昇降路最上部に据付けることができる。
【００６５】
図１１及び図１２は、第４の実施形態を示す平面図及び側面図である。本実施形態は、カウンターレール５の最上端にプーリー１７を取り付けたものである。
以下、これについて具体的に説明する。昇降路壁１２にＬ字形の昇降路取付部材２８ａが、昇降路壁に埋設固定されているアンカーボルト９にバネ座を介してナット１０により固定されている。昇降路取付部材２８ａには、Ｌ字形のレール取付部材２８ｂがボルト、ナットにより固定され、レール取付部材２８ｂにカウンターレール５の背面部がレールクリップ１４により固定されている。
【００６６】
カウンターレール５の最上端でかつ背面樓息に、プーリー支持枠を構成する。ほぼＵ字形のプーリーブラケット２４がボルト、ナットにより固定され、プーリーブラケット２４に、ピンボルト１８を介して溝付ローラからなるプーリー１７が回転自在に支持されている。プーリー１７の両側には、プーリー１７が軸方向にずれないようにカラー２５ａ，２５ｂが挿入されている。
【００６７】
巻上機１の据付方法としては、第３の実施形態とほぼ同様に行う。具体的には昇降路最上部のカウンターレール５に、プーリーブラケット２４をボルトナットで固定し、プーリーブラケット２４にプーリー１７を回転自在に支持した状態で、プーリー１７に玉掛けワイヤロープ１９を掛け渡し、該玉掛けワイヤロープ１９を用いて巻上機１を昇降路上部に吊り上げて据付ける。
【００６８】
この実施形態も第１〜第３の実施形態と同様な作用効果が得られる。
【００６９】
なお、上記各実施形態においては、巻上機をかごレールと一体にした状態で据付ける場合について説明したが、かごレールは昇降路壁に予め取付けておき、巻上機のみを据付ける場合にも同様に適用できることは勿論である。
【００７０】
【発明の効果】
本発明によれば、昇降路内のかごレール最上部付近に巻上機を吊り上げて所定の位置に据付けることができる機械室レスエレベータの巻上機据付装置を提供することができる。
【図面の簡単な説明】
【図１】本発明の機械室レスエレベータの巻上機据付方法を説明するための概略構成図。
【図２】本発明の第１の実施形態の機械室レスエレベータの巻上機据付装置を説明するためのものであって昇降路を正面方向から見た図。
【図３】図１の昇降路を上面方向から見た図。
【図４】図２のＡ−Ａ矢視図。
【図５】図２〜図４におけるかごレールブラケット並びにカウンターレール側レールブラケットの詳細な構成を示す分解斜視図。
【図６】本発明の第２の実施形態の機械室レスエレベータの巻上機据付装置を説明するためのものであって昇降路を正面方向から見た図。
【図７】図６の昇降路を上面方向から見た図。
【図８】図６のＢ−Ｂ矢視図。
【図９】本発明の第３の実施形態の機械室レスエレベータの巻上機据付装置を説明するためのものであって昇降路の上面図。
【図１０】本発明の第３の実施形態の機械室レスエレベータの巻上機据付装置を説明するためのものであって昇降路の上面図。
【図１１】本発明の第４の実施形態の機械室レスエレベータの巻上機据付装置を説明するためのものであって昇降路の上面図。
【図１２】本発明の第４の実施形態の機械室レスエレベータの巻上機据付装置を説明するためのものであって昇降路の正面図。
【図１３】従来の機械室を有する従来のロープ式エレベータの概略断面図。
【符号の説明】
１…巻上機、２…かごレール、３…専用ブラケット、４…固定金具、５…カウンターレール、１２…昇降路壁、１５…プーリー支持枠、１７…プーリー、１９…玉掛けワイヤロープ、２１…チェーンブロック。
【図１】
0004467109.tif 000002
【図２】
0004467109.tif 000003
【図３】
0004467109.tif 000004
【図４】
0004467109.tif 000005
【図５】
0004467109.tif 000006
【図６】
0004467109.tif 000007
【図７】
0004467109.tif 000008
【図８】
0004467109.tif 000009
【図９】
0004467109.tif 000010
【図１０】
0004467109.tif 000011
【図１１】
0004467109.tif 000012
【図１２】
0004467109.tif 000013
【図１３】
0004467109.tif 000014